(57)【要約】【課題】  あらかじめ一定のコマ数を決定し、設定すると手間がかかりまた状況によっては、さらにまたコマ数を設定しなおすなどの操作を繰り返しおこなうことが必要となり、操作が煩雑になってしまうなどの問題があった。【解決手段】  プリンタと接続されるデジタルカメラにおいて、プリンタから、印刷レイアウト情報を受信し、受信した印刷レイアウト情報に対応する１枚の用紙に配置される画像の数の撮影が完了したことに応じて、撮影で得られたレイアウト情報に対応する数の画像を印刷するための印刷指示をプリンタに送信する。【選択図】  図２
2011130207.tif 000002
【特許請求の範囲】
【請求項１】
プリンタと通信する手段を有するデジタルカメラであって、
画像を撮影する撮影手段と、
前記プリンタから、印刷レイアウト情報を受信する受信手段と、
前記撮影手段により撮影した複数の画像を印刷するための印刷指示、および、印刷する画像を、前記プリンタに送信する送信手段と、
前記受信手段により受信した印刷レイアウト情報に対応する１枚の用紙に配置される画像の数の撮影が完了したことに応じて、当該撮影により得られた、前記印刷レイアウト情報に対応する数の画像を印刷するための印刷指示を前記送信手段により送信する制御手段を有することを特徴とするデジタルカメラ。
【請求項２】
前記制御手段は、前記プリンタとの接続が完了した後、または、印刷指示を前記プリンタに送信した後から起算し、前記撮影手段により撮影した画像の数が前記受信手段により受信した印刷レイアウト情報に対応する１枚の用紙に配置される画像の数に達したことに応じて、当該撮影により得られた前記印刷レイアウトに対応する数の画像を印刷するための印刷指示を前記送信手段により送信することを特徴とする請求項１に記載のデジタルカメラ。
【請求項３】
前記撮影手段による画像の撮影を指示するための操作部材を有し、
前記撮影手段は、前記受信手段により１枚の用紙に複数の画像を配置する印刷レイアウト情報を受信した場合は、前記操作部材が操作されたことに応じて、前記印刷レイアウト情報に対応する数の画像を連続して撮影することを特徴とする請求項１および２に記載のデジタルカメラ。
【請求項４】
前記撮影手段により撮影した画像を記録媒体に記録する記録手段を有し、
前記制御手段は、前記記録手段により撮影した画像を記録できない場合には、前記記録手段による画像の記録は行わずに、前記印刷レイアウトに対応する数の画像の撮影が完了したことに応じて、当該撮影により得られた複数の画像を印刷するための印刷指示を前記送信手段により送信することを特徴とする請求項１または２に記載のデジタルカメラ。
【請求項５】
前記撮影手段による画像の撮影直後に、撮影した画像を確認するための確認表示を行う表示手段と、
前記確認表示中に画像の削除を指示するための削除手段とを有し、
前記制御手段は、前記削除手段により削除の指示がされた場合は、当該削除が指示された画像は撮影した画像の数として加算しないことを特徴とする請求項１ないし４のいずれか１項に記載のデジタルカメラ。
【発明の詳細な説明】
【技術分野】
【０００１】
本発明はプリントする画像を撮影するためのデジタルカメラに関する。
【背景技術】
【０００２】
従来のデジタルカメラとプリンタを接続し、撮影した画像を印刷するプリントシステムがある。このようなプリントシステムとして、一定のコマ数または一定量のデータ量を撮影したのちに、撮影し記憶した複数コマ分の画像データを自動転送するなどのものがある（特許文献１）。
【先行技術文献】
【特許文献】
【０００３】
【特許文献１】特開平９−３２２１１４
【発明の概要】
【発明が解決しようとする課題】
【０００４】
しかしながら、あらかじめ一定のコマ数を決定し、設定すると手間がかかりまた状況によっては、さらにまたコマ数を設定しなおすなどの操作を繰り返しおこなうことが必要となり、操作が煩雑になってしまうなどの問題があった。
【課題を解決するための手段】
【０００５】
上述の課題を解決するため本発明のデジタルカメラは、
プリンタと通信する手段を有するデジタルカメラであって、画像を撮影する撮影手段と、
プリンタから、印刷レイアウト情報を受信する受信手段と、撮影手段により撮影した複数の画像を印刷するための印刷指示、および、印刷対象の画像を、プリンタに送信する送信手段と、受信手段により受信した印刷レイアウトに対応する画像の数の撮影が完了したことに応じて、撮影により得られた印刷レイアウト情報に対応する数の画像を印刷するための印刷指示を送信手段により送信する制御手段を有することを特徴とする。
【発明の効果】
【０００６】
本発明によれば、デジタルカメラはプリンタから取得するレイアウト情報によって印刷に適した画像コマ数を判定し、そのコマ数によって撮影枚数を決定するため、使用者は手間をかけずに撮影枚数を気にすることなく撮影と印刷ができる。
【図面の簡単な説明】
【０００７】
【図１】本発明に係るデジタルカメラとプリンタのプリントシステム構成を表すブロック図である。
【図２】デジタルカメラの処理を示すフローチャートである。
【発明を実施するための形態】
【０００８】
（実施例）
以下に図を用いて本発明の実施例を説明する。
図１は本発明によるデジタルカメラ１０２とプリンタ１０１とからなるプリントシステムの構成を表すブロック図である。
【０００９】
プリンタ１０１とデジタルカメラ１０２は通信ケーブルを介して通信可能に接続される。デジタルカメラ１０２側には、通信部１０９があり（プリンタ側通信部は非図示）、この通信部１０９が、プリンタとの通信を行う。
【００１０】
デジタルカメラ１０２内部には、レイアウト解析部１０４、ＲＡＭ１０５、記録装置管理部１０７、コマ計数部１０８、通信部１０９、制御部１１０、撮影部１１１、表示部１１２．操作部１１３はそれぞれバス１０３によって接続されている。記録装置管理部１０７には記憶装置１０６が接続されている記録装置としては、着脱可能な外部メモリーカードへデータを記録する装置でも良いし、デジタルカメラ内に設けられたハードディスクにデータを記録する装置でも良い。このように、記録装置では、メモリーカードやハードディスク等の記録媒体に画像ファイルを記録する。制御部１１０は、不図示のプログラムメモリから読み出したプログラムに基づいて、演算やこれらの各部の制御を行うことにより、後述する処理を実行する。
【００１１】
通常の撮影では操作部１１３の撮影指示のための操作部材であるレリーズボタンを押すと撮影部１１１で画像を撮影し、撮影された画像はいったんＲＡＭ１０５に保存され、撮影直後には画像確認のため表示部１１２に撮影画像を表示する。確認表示と同時に、撮影画像は記録装置管理部１０７においてファイル化され、記憶装置１０６に記憶される。
【００１２】
ユーザのボタン操作の解釈やデータの各ブロックへの配信、各ブロックの動作制御は制御部１１０において行われる。プリンタ接続時は通信部１０９がプリンタの接続を検知したら通信に必要なネゴシエーション処理をプリンタ１０１とおこなう。プリンタとの接続が完了したら通信部１０９はプリンタ１０１に対して印刷レイアウト情報を要求する。プリンタ１０１がレイアウト情報を送信してきたら通信部１０９で受信したレイアウトはレイアウト解析部１０４にてレイアウトの解析を行う。レイアウト情報には用紙のサイズ、フチ設定、配置可能コマ数の情報が含まれている。レイアウト解析部１０４ではレイアウト情報を解析し、１枚の用紙に配置可能コマ数判定してＲＡＭ１０５に記憶する。
【００１３】
操作部１１３のレリーズボタンを押すと通常と同じく撮影をおこなうが１コマ撮影するごとにコマ計数部１０８で撮影枚数をカウントし、ＲＡＭ１０５に記憶されている現在選択中のレイアウトの配置可能コマ数と比較する。撮影済みコマ数と配置可能コマ数が一致したら制御部１１０は通信部１０９を介してプリンタ１０１にレイアウト指定を含んだ印刷開始コマンドを発行し、撮影済み画像をプリンタ１０１に送信する。
【００１４】
プリンタ１０１はデジタルカメラ１０２からの印刷開始コマンドと画像を受信し、印刷をおこなう。指定されたレイアウトの配置可能コマ数と受信する画像数は一致するのですべての画像がちょうど一枚の用紙に配置され、受信したすべての画像を含んだ１枚の印刷物が得られる。
【００１５】
図２は、デジタルカメラでの撮影およびプリンタへの画像、印刷指示の送信処理の流れを示すフローチャートである。これらの処理は、制御部１１０がプログラムに基づいて、演算を行ったり各部に処理を実行させることにより実現される。
【００１６】
ステップ２０１において通信部１０９はプリンタが接続中であるか判定する。接続中でなければ通常撮影シーケンス（ステップ２０４）に入る。ステップ２１９は、撮影モードが終了したかを判定し、終了していると判定されたらこのフローを終了する。撮影モードが終了していないと判定された場合は、ステップ２０４に戻り、撮影モードが終了するまで通常撮影処理を繰り返す。
【００１７】
プリンタ接続中であればステップ２０２において撮影済み画像の自動送信設定がなされているか判定する。自動送信設定は、デジタルカメラの設定メニューから設定可能である。自動送信設定とは撮影コマ数がプリンタのレイアウト情報に対応する配置可能コマ数に達したら自動的に印刷指示および画像をプリンタに送信し印刷を開始するための設定で、ユーザが任意に設定できる。
【００１８】
自動送信設定がされていればステップ２０５において通信部１０９がプリンタからレイアウト情報を受信する。レイアウト情報とは、プリンタで設定されている印刷レイアウトの情報である。ステップ２０６においては、レイアウト解析部１０４がステップ２０５で取得したレイアウト情報を解析して、１枚の用紙に配置可能なコマ数を識別し、ＲＡＭ１０５に記憶する。
【００１９】
ステップ２０７においてレリーズボタンが押されているか判定する。レリーズボタンが押されていなければレリーズボタンが押されるまで待つ。
【００２０】
レリーズボタンが操作され、撮影の指示が入力された場合は、ステップ２０８において連写モードであるかを判定する。
【００２１】
連写モードとはレリーズボタンを押している間連続して複数のコマを撮影するモードで、ユーザが撮影メニューから任意に設定できる。連写モードでなければステップ２１５において１コマ撮影をおこなう。
【００２２】
撮影をおこなった直後に表示部１１２において撮影画像を表示する。そのため、撮影画像をすぐに確認できる。確認表示中の撮影画像は削除することもでき、操作部１１３の削除ボタン（非図示）を押すと削除され、撮影画像の記録装置への記録はされず、印刷もされない。ステップ２１６において、確認のための画像表示中に、表示中の画像の削除が入力され、削除されたかどうか判定する。削除されていればステップ２０７において次のレリーズを待つ。削除されていなければステップ２１７において撮影済みコマ数を１加算し、画像データをＲＡＭ１０５に保存し、記録装置管理部は、ＲＡＭの画像データを画像ファイルに変換して記録装置１０６画像を記録する。削除された場合はコマ計数の加算は行われない。
【００２３】
ステップ２１８において撮影済みコマ数が、予定コマ数に達しているか判定する。予定コマ数とは、ステップ２０６において識別した、１枚の用紙に配置可能なコマ数のことである。予定コマ数に達していなければステップ２０７において次のレリーズを待ち次の画像の撮影を行う。
【００２４】
予定コマ数に達していればステップ２１２において画像指定を含んだ印刷指示コマンドとともに撮影された画像を記録装置１０６またはＲＡＭ１０５から読みだし、プリンタに送信する。
【００２５】
プリンタへ送信したらステップ２１３においてコマ計数をリセットし、０にする。リセットすることにより、次のレリーズはまた新たに配置コマ計数が加算されていくことになる。つまり、次からのコマ計数は、印刷指示が送られてから起算されることになる。
【００２６】
ステップ２１２で送信する印刷指示コマンドと画像を受信したプリンタは、受信した画像をレイアウトして印刷する。レイアウト情報に対応する数の画像を１つの印刷指示コマンドにおいて送信するので、レイアウトの配置可能コマ数と受信する画像数は一致する。そのため、レイアウトの配置可能コマ数と受信する画像数は一致するのですべての画像がちょうど一枚の用紙に配置され、受信したすべての画像を含んだ１枚の印刷物が得られる。
【００２７】
ステップ２１４では、撮影モードが終了したかを判定し、終了していると判定されたらこのフローを終了する。撮影モードが終了していないと判定された場合は、ステップ２０７に戻り、撮影モードが終了するまで処理を繰り返す。
【００２８】
ステップ２０８において連写モードと判定されたら２０９において１コマの画像が撮影される。連写モードでは確認のための画像表示は行わずに、１コマ分の撮影が終了したらそのままコマ計数を１加算する。ステップ２１１において撮影済みコマ数が予定コマ数に達しているか判定する。予定コマ数はステップ２０６において決定された配置コマ数と同じである。予定コマ数に達していなければすぐにステップ２０９に戻りさらに次の１コマの画像が撮影される。予定コマ数に達するまでこれを繰り返す。ステップ２１１において撮影済みコマ数が予定コマ数に達していると判定されたらステップ２１２においてレイアウト指定を含んだ印刷コマンドとともに撮影された画像を記録装置１０６またはＲＡＭ１０５から読みだし、プリンタに送信する。連写の場合、レリーズボタンが押下されている間、何度も撮影が行われるが、予定コマに達した場合は、レリーズボタンが押下されていても、撮影を終了して、印刷指示コマンドと撮影画像をプリンタに送信する処理を行う。つまり、連写の場合は、予定コマに達するまで、連続して撮影が行われることになる。
【００２９】
プリンタへ送信したらステップ２１３においてコマ計数をリセットし、０にする。リセットすることにより次のレリーズはまた新たに配置コマ計数が加算されていくことになる。
【００３０】
レイアウト情報に対応する数の画像を１つの印刷指示コマンドにおいて送信するので、レイアウトの配置可能コマ数と受信する画像数は一致する。そのため、プリンタ１０１では、すべての画像がちょうど一枚の用紙に配置され、受信したすべての画像を含んだ１枚の印刷物が得られる。
【００３１】
ステップ２０２において自動送信設定がなされていなければステップ２０３において記録装置管理部１０７を通して記憶装置１０６の状態を調べる。
【００３２】
着脱可能な記録装置が装着されていないまたは装着されているが画像を記録するための十分な空き容量がないなど記録不可能な状態であるかどうかを判定する。記録不可能でなければステップ２０４において通常撮影シーケンスに入る。ステップ２０３において記録不可能であると判定されれば、画像の記録装置１０６への記録は行わない。しかし、記録はできなくても印刷できる状態にするため画像自動送信設定されている時と同じ処理に入るため２０５からのシーケンスに復帰する。
ステップ２０５からのシーケンスに復帰した後は上述の処理と同じである。
【００３３】
上述の実施形態では、コマ計数のリセットをプリンタへ印刷指示コマンドを送信したタイミングで行い、コマ計数を印刷指示コマンドの送信から起算した。しかし、プリンタに接続開始されたときや、プリンタからレイアウト情報を受信したタイミングにも行っても良い。
【００３４】
また、本実施形態では、連写撮影を行うか否かを、ユーザにより設定された撮影モードで判断した。しかし、プリンタから取得したレイアウト情報に、複数コマ配置のレイアウトが設定されている場合は、自動的に連写撮影をおこなうようにしておいてもよい。この場合、自動送信設定で予め連写撮影の自動切換えを有効にするかを設定可能にしておくと良い。
【図１】
2011130207.tif 000003
【図２】
2011130207.tif 000004